【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
送信する情報を取得する情報取得部と、
送信する前記情報を取得するように前記情報取得部を制御する第一の制御部と、
取得された前記情報を記憶する記憶部と、
前記情報を送信する送信部と、
前記情報の送信時において、前記記憶部から前記情報を読み出して送信するように、前記記憶部および前記送信部を制御すると共に、前記情報取得部および前記第一の制御部に供給されている電力を遮断制御する第二の制御部と
を有する情報処理装置。
【請求項２】
前記第二の制御部は、前記記憶部から読み出した前記情報の送信中において、前記送信部および前記送信部を制御するために必要な箇所に対する電力供給を継続し、前記情報取得部および前記第一の制御部への電力供給を遮断制御すること
を特徴とする請求項１に記載の情報処理装置。
【請求項３】
前記記憶部は、電力の供給および非供給を制御可能な記憶部であり、
前記第二の制御部は、前記情報の送信が終了した際に、前記記憶部に対して電力を非供給とすること
を特徴とする請求項１又は請求項２に記載の情報処理装置。
【請求項４】
前記第二の制御部は、全ての前記情報の送信が完了しない場合、一旦、前記記憶部に対して電力を非供給とし、予め定められた時間の経過後に、前記記憶部に対して、電力を再供給して、前記情報の再送信を試みる機能を備えること
を特徴とする請求項３に記載の情報処理装置。
【請求項５】
前記記憶部として、電力の供給および非供給を制御可能であり、前記情報取得部で取得された情報を記憶する第一の記憶部と、該第一の記憶部よりも消費電力が少ない第二の記憶部とを備え、
前記第二の制御部は、全ての前記情報の送信が完了しない場合において、前記第一の記憶部に記憶されている前記情報の情報量が、前記第二の記憶部で記憶できない情報量である場合は、一旦、前記第一の記憶部に対して電力を非供給とし、予め定められた時間の経過後に、前記第一の記憶部に対して電力を再供給し、前記情報の再送信を試み、前記第一の記憶部に記憶されている前記情報の情報量が、前記第二の記憶部で記憶可能な情報量である場合は、前記第一の記憶部に記憶されている前記情報を前記第二の記憶部に移動させて記憶させた後に、前記第一の記憶部に対する電力を非供給とし、予め定められた時間の経過後に、前記第二の記憶部に記憶された前記情報の再送信を試みる機能を備えること
を特徴とする請求項３に記載の情報処理装置。
【請求項６】
前記情報の送信中であることを通知するための通知部を有すること
を特徴とする請求項１から請求項５のうち、いずれか一項に記載の情報処理装置。
【請求項７】
前記第一の制御部はメイン制御部として機能し、前記第二の制御部はサブ制御部として機能すること
を特徴とする請求項１から請求項６のうち、いずれか一項に記載の情報処理装置。
【請求項８】
第一の制御部が、送信する情報を取得するように情報取得部を制御する情報取得ステップと、
第一の制御部が、取得された前記情報を記憶部に記憶制御する記憶制御ステップと、
第二の制御部が、前記情報の送信時において、前記記憶部から前記情報を読み出して送信するように、前記記憶部および前記情報の送信を行う送信部を制御する送信制御ステップと、
第二の制御部が、前記送信時となった際に、前記情報取得部および前記第一の制御部に供給されている電力を遮断制御する省電力ステップと
を有する情報処理方法。
【請求項９】
前記省電力ステップにおいて、前記第二の制御部は、前記記憶部から読み出した前記情報の送信中において、前記送信部および前記送信部を制御するために必要な箇所に対する電力供給を継続し、前記情報取得部および前記第一の制御部への電力供給を遮断制御すること
を特徴とする請求項８に記載の情報処理方法。
【請求項１０】
前記記憶部は、電力の供給および非供給を制御可能な記憶部であり、
前記情報の送信が終了した際に、前記第二の制御部が、前記記憶部に対して電力を非供給とする第二の省電力ステップを有すること
を特徴とする請求項８又は請求項９に記載の情報処理方法。
【請求項１１】
前記第二の省電力ステップにおいて、前記第二の制御部は、全ての前記情報の送信が完了しない場合、一旦、前記記憶部に対して電力を非供給とし、予め定められた時間の経過後に、前記記憶部に対して、電力を再供給して、前記情報の再送信を試みること
を特徴とする請求項１０に記載の情報処理方法。
【請求項１２】
前記記憶部として、電力の供給および非供給を制御可能であり、前記情報取得部で取得された情報を記憶する第一の記憶部と、該第一の記憶部よりも消費電力が少ない第二の記憶部とを備え、
前記第二の省電力ステップにおいて、前記第二の制御部は、全ての前記情報の送信が完了しない場合において、前記第一の記憶部に記憶されている前記情報の情報量が、前記第二の記憶部で記憶できない情報量である場合は、一旦、前記第一の記憶部に対して電力を非供給とし、予め定められた時間の経過後に、前記第一の記憶部に対して電力を再供給し、前記情報の再送信を試み、前記第一の記憶部に記憶されている前記情報の情報量が、前記第二の記憶部で記憶可能な情報量である場合は、前記第一の記憶部に記憶されている前記情報を前記第二の記憶部に移動させて記憶させた後に、前記第一の記憶部に対する電力を非供給とし、予め定められた時間の経過後に、前記第二の記憶部に記憶された前記情報の再送信を試みること
を特徴とする請求項１０に記載の情報処理方法。
【請求項１３】
通知部が、前記情報の送信中であることを通知する通知ステップを有すること
を特徴とする請求項８から請求項１２のうち、いずれか一項に記載の情報処理方法。
【請求項１４】
前記第一の制御部であるメイン制御部が、前記情報取得ステップおよび前記記憶制御ステップを実行し、
前記第二の制御部であるサブ制御部が、前記送信制御ステップ、前記省電力ステップ、および第二の省電力ステップを実行すること
を特徴とする請求項８から請求項１３のうち、いずれか一項に記載の情報処理方法。
【請求項１５】
コンピュータを、
送信する情報を取得する情報取得部と、
送信する前記情報を取得するように前記情報取得部を制御する第一の制御部と、
記憶部に対する、取得された前記情報の記憶および読み出しを制御する記憶制御部と、
前記情報を送信する送信部と、
前記情報の送信時において、前記記憶部から前記情報を読み出して送信するように、前記記憶制御部および前記送信部を制御すると共に、前記情報取得部および前記第一の制御部に供給されている電力を遮断制御する第二の制御部として機能させること
を特徴とする情報処理プログラム。
【請求項１６】
前記第二の制御部は、前記記憶部から読み出した前記情報の送信中において、前記送信部および前記送信部を制御するために必要な箇所に対する電力供給を継続し、前記情報取得部および前記第一の制御部への電力供給を遮断制御すること
を特徴とする請求項１５に記載の情報処理プログラム。
【請求項１７】
前記記憶部は、電力の供給および非供給を制御可能な記憶部であり、
前記情報の送信が終了した際、前記記憶部に対して電力を非供給とする前記第二の制御部として前記コンピュータを機能させること
を特徴とする請求項１５又は請求項１６に記載の情報処理プログラム。
【請求項１８】
全ての前記情報の送信が完了しない場合、一旦、前記記憶部に対して電力を非供給とし、予め定められた時間の経過後に、前記記憶部に対して、電力を再供給して、前記情報の再送信を試みる前記第二の制御部として前記コンピュータを機能させること
を特徴とする請求項１７に記載の情報処理プログラム。
【請求項１９】
前記記憶部として、電力の供給および非供給を制御可能であり、前記情報取得部で取得された情報を記憶する第一の記憶部と、該第一の記憶部よりも消費電力が少ない第二の記憶部とを備え、
全ての前記情報の送信が完了しない場合において、前記第一の記憶部に記憶されている前記情報の情報量が、前記第二の記憶部で記憶できない情報量である場合は、一旦、前記第一の記憶部に対して電力を非供給とし、予め定められた時間の経過後に、前記第一の記憶部に対して電力を再供給し、前記情報の再送信を試み、前記第一の記憶部に記憶されている前記情報の情報量が、前記第二の記憶部で記憶可能な情報量である場合は、前記第一の記憶部に記憶されている前記情報を前記第二の記憶部に移動させて記憶させた後に、前記第一の記憶部に対する電力を非供給とし、予め定められた時間の経過後に、前記第二の記憶部に記憶された前記情報の再送信を試みる前記第二の制御部として前記コンピュータを機能させること
を特徴とする請求項１７に記載の情報処理プログラム。
【請求項２０】
前記情報の送信中であることを通知するための通知部として前記コンピュータを機能させること
を特徴とする請求項１５から請求項１９のうち、いずれか一項に記載の情報処理プログラム。
【請求項２１】
前記第一の制御部がメイン制御部となるように前記コンピュータを機能させ、
前記第二の制御部がサブ制御部となるように前記コンピュータを機能させること
を特徴とする請求項１５から請求項２０のうち、いずれか一項に記載の情報処理プログラム。